(57)【要約】【課題】  マザーボード上のスペースを効率良く利用することのできる一体型ソケットを提供する。【解決手段】  一体型ソケットは、第１および第２のスロットを有する。第１のスロットは第１のバスインターフェースに対応した構造及び電気的規格を有する。第２のスロットは、第２のバスインターフェースに対応した構造及び電気的規格を有する。第１および第２のスロットは一体的に構成されている。【選択図】  図１
0003109989.tif 000002
【実用新案登録請求の範囲】
【請求項１】
第１のバスインターフェースに対応した構造及び電気的規格を有する第１のスロットと、
第２のバスインターフェースに対応した構造及び電気的規格を有し、前記第１のスロットからこの長手方向に延びる第２のスロットとを有することを特徴とする一体型ソケット。
【請求項２】
前記第１のバスインターフェースはＡＧＰバスインターフェースであり、前記第２のバスインターフェースはＰＣＩ  Ｅｘｐｒｅｓｓバスインターフェースであることを特徴とする請求項１に記載の一体型ソケット。
【請求項３】
前記第１のスロットに対して前記第２のスロットが延びる方向とは反対方向に延びる取り付け座部と、
該取り付け座部に形成された保持部と、
弾性変形可能かつ移動可能な状態で前記保持部に支持され、両端が前記保持部から突出する止め部とを有する留め具を備え、
前記止め部の一端がボタンに連結されているとともに、他端が、プリント回路基板を前記第１及び第２のスロットのうち一方に挿入した場合において、前記プリント回路基板を位置決めするためのロック部であることを特徴とする請求項２に記載の一体型ソケット。
【請求項４】
前記第１のスロットは第１の色を有し、前記第２のスロットは第２の色を有することを特徴とする請求項３に記載の一体型ソケット。
【考案の詳細な説明】
【技術分野】
【０００１】
本考案は、コンピュータのマザーボードに設けられたスロットに関するものであり、具体的には、マザーボード上のスペース利用効率を向上させるための一体型ソケットに関するものである。
【背景技術】
【０００２】
マザーボードの設計者は、どのようにしたらマザーボード上の限られたスペース内により多くの回路を実装できるかの問題に対して長い間直面している。
【０００３】
一般的に、複数の異なるスロットがマザーボード上に実装されており、各スロットは特定の機能を有する特定のプリント回路基板（ＰＣＢ）のために設けられている。
【考案の開示】
【考案が解決しようとする課題】
【０００４】
ここで、マザーボードに設けられた各スロットは、マザーボード上のスペースを占めている。したがって、スロットを設けるためには、マザーボード上に多くのスペースが要求される。
【０００５】
本考案の目的は、マザーボード上のスペース利用効率を向上させることができ、２つのバスインターフェースそれぞれを支持するための２つのスロットが一体となった一体型ソケットを提供することにある。
【課題を解決するための手段】
【０００６】
本考案の一体型ソケットは、第１のスロットと、該第１のスロットからこの長手方向に延びる第２のスロットとを有する。すなわち、第１のスロットおよび第２のスロットは一体的に構成されている。
【０００７】
また、第１のスロットは、第１のバスインターフェースに対応した構造および電気的規格を有しているとともに、第２のスロットは、第２のバスインターフェースに対応した構造および電気的規格を有している。
【０００８】
例えば、第１のバスインターフェースを、ＡＧＰ(Accelerated Graphics Port)バスインターフェースとすることができ、第２のバスインターフェースを、ＰＣＩ(Peripheral Component Interconnect) Ｅｘｐｒｅｓｓバスインターフェースとすることができる。
【０００９】
ここで、一体型ソケットは、第１のスロットを介してＡＧＰバスインターフェースのディスプレイカードを支持したり、第２のスロットを介してＰＣＩ  Ｅｘｐｒｅｓｓバスインターフェースのディスプレイカードを支持したりする。
【考案の効果】
【００１０】
本考案によれば、マザーボードに実装した場合において、一体型ソケットがマザーボード上の長手方向におけるスペースだけを占めるため、マザーボード上のスペースを効率良く利用することができる。
【考案を実施するための最良の形態】
【００１１】
本考案は、以下に説明する実施例および図面に基づいて明確となるであろう。また、本考案は、以下の実施例に限定されるものではない。
【実施例１】
【００１２】
図１および図２は、本考案の実施例１である一体型ソケットを示す図である。本実施例の一体型ソケットは、ＡＧＰバスインターフェースに対応した構造および電気的規格を有する第１のスロット１と、ＰＣＩ  Ｅｘｐｒｅｓｓバスインターフェースに対応した構造および電気的規格を有する第２のスロット２とを有している。第２のスロット２は、第１のスロット１の一端側から、第１のスロット１の長手方向に延びている。
【００１３】
図３に示すように、本実施例の一体型ソケットは、マザーボード３に実装されている。また、プリント回路基板（以下、ＰＣＢと称す）４の側端には、切り欠き部４０が形成されている。本実施例において、ＰＣＢ４は、ＡＧＰバスインターフェースのディスプレイカードであり、第１のスロット１だけに挿入することができるようになっている。
【００１４】
図４において、本実施例の一体型ソケットは、マザーボード３に実装されている。また、プリント回路基板（ＰＣＢ）５の側端には、切り欠き部５０が形成されている。ＰＣＢ５は、ＰＣＩ  Ｅｘｐｒｅｓｓバスインターフェースのディスプレイカードであり、第２のスロット２に挿入することができるようになっている。
【００１５】
図１および図２において、一体型ソケットは、留め具６を有している。この留め具６は、第１のスロット１に対して第２のスロット２が延びる方向とは反対方向に延びる取り付け座部６０と、取り付け座部６０に形成された保持部６１と、保持部６１で支持され、弾性変形可能で、かつ移動可能な止め部を有している。止め部の両端は、保持部６１から突出している。また、止め部の一端はボタン６２に連結されており、他端はロック部６３として形成されている。
【００１６】
図３および図４において、ＰＣＢ４とＰＣＢ５はそれぞれ、第１のスロット１又は第２のスロット２に挿入することができるようになっている。ロック部６３は、切り欠き部４０又は切り欠き部５０を通過させ、ＰＣＢ４又はＰＣＢ５を位置決めするために用いられる。
【００１７】
第１及び第２のスロット１、２を識別するために、第１のスロット１および第２のスロット２に対して互いに異なる色を付すことが好ましい。具体的には、第１のスロット１に対して第１の色を付し、第２のスロット２に第２の色を付す。これにより、ＰＣＢを一体型ソケットに挿入する際に、使用者が挿入ミスを起こすのを防止することができる。
【００１８】
本実施例の一体型ソケットは、２つの異なるバスインターフェースの一方を支持するために、ＰＣＢの挿入口として設けられているとともに、マザーボードの長手方向におけるスペースだけを占めるようになっている。これにより、マザーボード上のスペースを効率良く利用することができる。
【００１９】
これまでに本校案の実施例について説明したが、本考案の効果が得られる技術分野における当業者にとって、本考案の概念から離れない限り、上述した実施例以外の多くの変形例が可能であることは明らかである。このため、本考案は、従属クレームに記載した考案およびこれと均等なものを除いて、制限されるものではない。
【図面の簡単な説明】
【００２０】
【図１】本発明の実施例１である一体型ソケットの斜視図である。
【図２】実施例１である一体型ソケットの正面図である。
【図３】実施例１である一体型ソケットの使用形態を説明する図である。
【図４】実施例１である一体型ソケットの使用形態を説明する図である。
【符号の説明】
【００２１】
１：第１のスロット
２：第２のスロット
３：マザーボード
４：ＰＣＢ
４０：切り欠き部
５：ＰＣＢ
５０：切り欠き部
６：連結部
６０：取り付け座部
６１：保持部
６２：ボタン
６３：ロック部
【図１】
0003109989.tif 000003
【図２】
0003109989.tif 000004
【図３】
0003109989.tif 000005
【図４】
0003109989.tif 000006